(57)【要約】使用時に、患者の骨の中に存在する空洞（Ｃ）の中に挿入されるように適合した充填要素（２）を含む骨再生のためのデバイスであって、充填要素（２）は、ＰＧＡ繊維から成るデバイス。
2017531487.tif 000002
【特許請求の範囲】
【請求項１】
使用時に、患者の骨の中に存在する空洞の中に挿入されるように適合した充填要素を含む骨再生のためのデバイスであって、前記充填要素は、ＰＧＡ繊維から成るデバイス。
【請求項２】
前記充填要素は、ＰＧＡ繊維布地から成ることを特徴とする請求項１に記載のデバイス。
【請求項３】
前記布地は、編地、好適には縦編地であることを特徴とする請求項２に記載のデバイス。
【請求項４】
前記充填要素は、骨の空洞に対して逆の形状であることができ、前記空洞の中に挿入することができることを特徴とする請求項１〜３のいずれかに記載のデバイス。
【請求項５】
前記充填要素は、骨の空洞に対して逆の形状であり、前記空洞の中に挿入されることができることを特徴とする請求項１〜４のいずれかに記載のデバイス。
【請求項６】
前記充填要素は、円筒形状、平行六面体形状、ピラミッド形状、または円錐形状であることを特徴とする請求項５に記載のデバイス。
【発明の詳細な説明】
【技術分野】
【０００１】
本発明の目的は、骨再生デバイスである。
【０００２】
本発明は、例えば、骨折後の患者の骨組織を統合する必要がある場合に適用される。
【背景技術】
【０００３】
実際、骨断片の再組み立て後に、骨折端の取付けの中に隙間が存在し得るが、これは充填されなければならない。
【０００４】
従来技術によれば、このような空洞は、いわゆる代用骨で満たされている。ハイドロキシアパタイトおよび／またはリン酸三カルシウム、カルシウムを含む鉱物の代用骨が、粉末、ペーストまたは微粒形状または他の形状で、使用されている。
【０００５】
充填されるべき骨の空洞の中に挿入された代用骨は、固まって、硬い物質を作るが、これは、空洞を充填することによって、骨の完全性を復元させる。
【０００６】
とはいえ、固化されても、これらの材料は、天然の骨組織と同じ機械的特性を確保することができない。
【０００７】
その結果、再構築されおよび治癒された骨においてさえも、代用骨から成る部分は、骨組織の残りの部分よりも硬度が低く、骨全体に対して、弱化した領域を表す。
【発明の概要】
【０００８】
この文脈で、本発明の基礎となる技術的課題は、上述の従来技術の欠点を克服する骨再生デバイスを提案することにある。
【０００９】
特に、本発明の目的は、患者の骨について、完全な生理学的、機能的および機械的な復元を可能にする骨再生デバイスを提供することにある。
【００１０】
指定された技術課題および指定された目的は、添付の請求項の１つ以上に記載された技術的特徴を含む骨再生デバイスによって実質的に達成される。
【図面の簡単な説明】
【００１１】
本発明のさらなる特徴および利点は、添付の図面に示されているように、好ましいが排他的ではない具体例の骨再生デバイスの例示的な、したがって非限定的な説明から明らかになるであろう。
【００１２】
【図１】本発明に係る骨再生デバイスの概略図である。
【発明を実施するための形態】
【００１３】
添付の図面を参照すると、参照番号１は、本発明に係る骨再生デバイスの全体を示している。
【００１４】
デバイス１は、充填要素２を含むが、これは、使用時に、患者の骨Ｏ上に存在する空洞Ｃの中に挿入される。
【００１５】
特に、空洞Ｃは、骨Ｏ自身の再構築された骨折線Ｌに位置することができる。
【００１６】
充填要素２は、固体吸収性材料から成る。
【００１７】
より詳細には、充填要素２は、ＰＧＡ繊維（ポリグリコライドまたはポリグリコール酸）、好適にはホモポリマーから成る。ＰＧＡは、生体適合性が高い吸収性のポリマである。
【００１８】
ＰＧＡの平均吸収時間は、約１ヶ月である。
【００１９】
有利には、充填要素２の吸収の間、骨組織が形成されるが、これは分解するＰＧＡ繊維に徐々に取って代わる。
【００２０】
充填要素２の分解と同時に形成される骨組織は、空洞Ｃを完全に充填し、患者の骨の骨組織と同じ性質を有する。
【００２１】
その結果、新たに形成された骨組織は、元の骨組織と同じ機械的特性を有する。
【００２２】
このようにして、空洞は、自然に互換性のある組織で充填され、修復された骨の機械的および生理学的な特性を変化させない。
【００２３】
有利には、充填要素２は、ＰＧＡ繊維布地（fabric）から成る。
【００２４】
このようにして、一旦充填要素２が空洞Ｃに挿入されると、布地には血液、特に血漿が含浸され、骨の再生を促進する。
【００２５】
布地は、編地、織布または不織布を生じさせる種々の方法でＰＧＡ糸を織ることにより得ることができる。
【００２６】
好適には、布地は、編地であり、更に好適には、縦編地である。
【００２７】
このような場合、布地は、粗い表面を有し、網目が十分に小さいネット形状をとることができる。
【００２８】
詳細には、横糸は、その横糸の間質腔が、２００μｍ未満、好適には約１６０μｍ未満であるようなものであり、これは約０．０２ｍｍ２に等しい穴の平均面積に対応する。
【００２９】
更に、布地は、好適には、より大きな表面粗さおよびより大きな剛性を与えるように織られる。
【００３０】
第１具体例では、充填要素２は、充填される空洞の形状に対して実質的に逆の形状（counter-shaped）となるような方法で成形されることができる。充填要素２が得られる布地は、十分な柔軟性を有し、施術者がそれを曲げることができ、移植時に充填要素２と逆の形状にすることができる。
【００３１】
第２具体例では、充填要素２は、既に成形されている。特に、充填要素２は、既に、充填されるべき空洞Ｃに対して逆の形状である。
【００３２】
特に、充填要素２は、円筒形、平行六面体、ピラミッド形、または円錐形を有することができ、またはその他の形状を有することができる。
【００３３】
充填要素２を得るために、三次元製織技術も使用することができ、ＰＧＡ繊維から成る中空でない固体を得ることを可能にする。
【００３４】
特に、そのような技術は、適切な形状の布地層の製織およびその後の重ね合わせを提供し、これは次に、布地と同じ材料から成る縫合点、すなわちこの場合ＰＧＡの方法によって、互いに接続される。
【００３５】
取得時、完全に固体である、すなわち内部に空洞を有さない、形状およびサイズの充填要素２を作ることができる。
【００３６】
ＰＧＡ繊維の使用は、わずかに圧縮するのに十分な柔らかさを備えた固体を得ることを可能にし、充填されるべき空洞Ｃの形状および／またはサイズに、より良好に、充填要素２を適合させる。
【００３７】
更に、充填要素２は、手術室の中の施術者によって、はさみまたはメスで、容易に切断されることができ、その形状および／またはサイズを、充填されるべき空洞Ｃに適合することができる。
【００３８】
本発明は、予め設定された目的を達成するものである。
【００３９】
実際に、ＰＧＡから成る吸収性の充填要素の移植によって、その中に充填要素が挿入された骨の空洞を充填する骨再生プロセスがある。
【００４０】
既に述べたように、再生された骨組織は、デバイスが移植された骨の組織と同等であるので、再構築され、治癒した骨の機械的特性の低下はない。
【００４１】
したがって、治癒プロセスは、より完全であり、重大な影響を残さない。
【図１】
2017531487.tif 000003
【手続補正書】
【提出日】平成29年6月6日(2017.6.6)
【手続補正１】
【補正対象書類名】明細書
【補正対象項目名】全文
【補正方法】変更
【補正の内容】
【発明の詳細な説明】
【技術分野】
【０００１】
本発明の目的は、骨再生デバイスである。
【０００２】
本発明は、例えば、骨折後の患者の骨組織を統合する必要がある場合に適用される。
【背景技術】
【０００３】
実際、骨断片の再組み立て後に、骨折端の取付けの中に隙間が存在し得るが、これは充填されなければならない。
【０００４】
従来技術によれば、このような空洞は、いわゆる代用骨で満たされている。ハイドロキシアパタイトおよび／またはリン酸三カルシウム、カルシウムを含む鉱物の代用骨が、粉末、ペーストまたは微粒形状または他の形状で、使用されている。
【０００５】
充填されるべき骨の空洞の中に挿入された代用骨は、固まって、硬い物質を作るが、これは、空洞を充填することによって、骨の完全性を復元させる。
【０００６】
とはいえ、固化されても、これらの材料は、天然の骨組織と同じ機械的特性を確保することができない。
【０００７】
その結果、再構築されおよび治癒された骨においてさえも、代用骨から成る部分は、骨組織の残りの部分よりも硬度が低く、骨全体に対して、弱化した領域を表す。
【０００８】
ＵＳ２００６／００８４９３０の中に開示されているものなどのいくつかの公知の解決策は、多層布地によって形成された吸収性材料を利用するものであり、これはまた、疾患または傷害に起因する骨損失を修復するために有用であり得る。前記解決策によると、組織を配置する前に、その内部に組織を配置するように移植部位が準備されなければならない。
【０００９】
他の解決策は、ＧＢ２２５９２５２の中に開示されているように、柔軟な繊維メッシュ状のマイクロチューブによって形成された生物医学的材料を利用するものであり、これは骨の欠損によって規定される空間に挿入されるのに適している。前記チューブは、特定の範囲内に含まれた明確に規定された直径を有し、骨欠損内へのチューブの挿入を困難にしないものとして開示されている。
【００１０】
吸収性材料を利用する他の公知の解決策は、ＵＳ４９８７６６５の中に開示され、そこにはチューブ状の物品を記載されている。そのチューブ状物品は、骨または靭帯の修復のために使用されることができ、および、移植のために、骨上に経路を形成する必要があり、その経路を通って前記チューブ状の物品が挿入される。
【００１１】
以上のように、前記解決策は、吸収性材料の使用を開示しているが、材料の挿入のための部位の特定かつ正確な実現を必要とする。
【発明の概要】
【００１２】
この文脈で、本発明の基礎となる技術的課題は、上述の従来技術の欠点を克服する骨再生デバイスを提案することにある。
【００１３】
特に、本発明の目的は、患者の骨について、完全な生理学的、機能的および機械的な復元を可能にする骨再生デバイスを提供することにある。
【００１４】
指定された技術課題および指定された目的は、添付の請求項の１つ以上に記載された技術的特徴を含む骨再生デバイスによって実質的に達成される。
【図面の簡単な説明】
【００１５】
本発明のさらなる特徴および利点は、添付の図面に示されているように、好ましいが排他的ではない具体例の骨再生デバイスの例示的な、したがって非限定的な説明から明らかになるであろう。
【００１６】
【図１】本発明に係る骨再生デバイスの概略図である。
【発明を実施するための形態】
【００１７】
添付の図面を参照すると、参照番号１は、本発明に係る骨再生デバイスの全体を示している。
【００１８】
デバイス１は、充填要素２を含むが、これは、使用時に、患者の骨Ｏ上に存在する空洞Ｃの中に挿入される。
【００１９】
特に、空洞Ｃは、骨Ｏ自身の再構築された骨折線Ｌに位置することができる。
【００２０】
充填要素２は、固体吸収性材料から成る。
【００２１】
より詳細には、充填要素２は、ＰＧＡ繊維（ポリグリコライドまたはポリグリコール酸）、好適にはホモポリマーから成る。ＰＧＡは、生体適合性が高い吸収性のポリマである。
【００２２】
ＰＧＡの平均吸収時間は、約１ヶ月である。
【００２３】
有利には、充填要素２の吸収の間、骨組織が形成されるが、これは分解するＰＧＡ繊維に徐々に取って代わる。
【００２４】
充填要素２の分解と同時に形成される骨組織は、空洞Ｃを完全に充填し、患者の骨の骨組織と同じ性質を有する。
【００２５】
その結果、新たに形成された骨組織は、元の骨組織と同じ機械的特性を有する。
【００２６】
このようにして、空洞は、自然に互換性のある組織で充填され、修復された骨の機械的および生理学的な特性を変化させない。
【００２７】
有利には、充填要素２は、ＰＧＡ繊維布地（fabric）から成る。
【００２８】
このようにして、一旦充填要素２が空洞Ｃに挿入されると、布地には血液、特に血漿が含浸され、骨の再生を促進する。
【００２９】
布地は、編地、織布または不織布を生じさせる種々の方法でＰＧＡ糸を織ることにより得ることができる。
【００３０】
好適には、布地は、編地であり、更に好適には、縦編地である。
【００３１】
このような場合、布地は、粗い表面を有し、網目が十分に小さいネット形状をとることができる。
【００３２】
詳細には、横糸は、その横糸の間質腔が、２００μｍ未満、好適には約１６０μｍ未満であるようなものであり、これは約０．０２ｍｍ２に等しい穴の平均面積に対応する。
【００３３】
更に、布地は、好適には、より大きな表面粗さおよびより大きな剛性を与えるように織られる。
【００３４】
第１具体例では、充填要素２は、充填される空洞の形状に対して実質的に逆の形状（counter-shaped）となるような方法で成形されることができる。充填要素２が得られる布地は、十分な柔軟性を有し、施術者がそれを曲げることができ、移植時に充填要素２と逆の形状にすることができる。
【００３５】
第２具体例では、充填要素２は、既に成形されている。特に、充填要素２は、既に、充填されるべき空洞Ｃに対して逆の形状である。
【００３６】
特に、充填要素２は、円筒形、平行六面体、ピラミッド形、または円錐形を有することができ、またはその他の形状を有することができる。
【００３７】
充填要素２を得るために、三次元製織技術も使用することができ、ＰＧＡ繊維から成る中空でない固体を得ることを可能にする。
【００３８】
特に、そのような技術は、適切な形状の布地層の製織およびその後の重ね合わせを提供し、これは次に、布地と同じ材料から成る縫合点、すなわちこの場合ＰＧＡの方法によって、互いに接続される。
【００３９】
取得時、完全に固体である、すなわち内部に空洞を有さない、形状およびサイズの充填要素２を作ることができる。
【００４０】
ＰＧＡ繊維の使用は、わずかに圧縮するのに十分な柔らかさを備えた固体を得ることを可能にし、充填されるべき空洞Ｃの形状および／またはサイズに、より良好に、充填要素２を適合させる。
【００４１】
更に、充填要素２は、手術室の中の施術者によって、はさみまたはメスで、容易に切断されることができ、その形状および／またはサイズを、充填されるべき空洞Ｃに適合することができる。
【００４２】
本発明は、予め設定された目的を達成するものである。
【００４３】
実際に、ＰＧＡから成る吸収性の充填要素の移植によって、その中に充填要素が挿入された骨の空洞を充填する骨再生プロセスがある。
【００４４】
既に述べたように、再生された骨組織は、デバイスが移植された骨の組織と同等であるので、再構築され、治癒した骨の機械的特性の低下はない。
【００４５】
したがって、治癒プロセスは、より完全であり、重大な影響を残さない。
【手続補正２】
【補正対象書類名】特許請求の範囲
【補正対象項目名】全文
【補正方法】変更
【補正の内容】
【特許請求の範囲】
【請求項１】
使用時に、患者の骨の中に存在する空洞の中に挿入されるように適合した充填要素を含む骨再生のためのデバイスであって、前記充填要素は、ＰＧＡ繊維から成り、骨の空洞に対して、逆の形状であることができ、または逆の形状であり、前記空洞の中に挿入することができるデバイス。
【請求項２】
前記充填要素は、ＰＧＡ繊維布地から成ることを特徴とする請求項１に記載のデバイス。
【請求項３】
前記布地は、編地、好適には縦編地であることを特徴とする請求項２に記載のデバイス。
【請求項４】
前記布地は、ネット形状を有し、横糸は、その間質腔が、２００μｍ未満、好適には約１６０μｍ未満であるものであり、約０．０２ｍｍ２に等しい穴の平均面積に対応することを特徴とする請求項２に記載のデバイス。
【請求項５】
前記充填要素は、円筒形状、平行六面体形状、ピラミッド形状、または円錐形状であることを特徴とする請求項１に記載のデバイス。
【国際調査報告】
2017531487.tif 000004
2017531487.tif 000005